(57)【要約】【課題】本発明の目的は、印刷前に必要な用紙情報を入力することで、給紙部の紙さばき用２枚止め板ばねの印刷用紙後端部からのオーバーラップ長さを自動的に調整することで、オペレータによる調整を不要とする。また印刷開始時の給紙不良を防止することで、資材の浪費を回避し、かつ印刷作業能率を向上させる枚葉印刷機の給紙装置を提供することを目的とする。【解決手段】本発明は、給紙パイルに収納された印刷用紙を、１枚ずつさばき、フィーダーボードに乗せて印刷部に送り込むように構成された給紙手段を有する枚葉印刷機の給紙装置であって、印刷用紙の紙厚を入力する手段と、入力された紙厚より、紙さばき用２枚止め板ばねの印刷用紙後端部からのオーバーラップ長さを計算する手段と、印刷用紙後端部の位置を確認し、紙さばき用２枚止め板ばねの印刷用紙後端部からのオーバーラップ長さを自動で調整する手段により構成される、枚葉印刷機の給紙装置である。【選択図】図１
2019059579.tif 000002
【特許請求の範囲】
【請求項１】
枚葉印刷機の給紙部において、印刷用紙の紙厚を入力する手段と、入力された紙厚より、紙さばき用２枚止め板ばねの印刷用紙後端部からのオーバーラップ長さを計算する手段と、印刷用紙後端部の位置を確認し、紙さばき用２枚止め板ばねの印刷用紙後端部からのオーバーラップ長さを自動で調整する手段により構成される、枚葉印刷機の給紙装置。
【発明の詳細な説明】
【技術分野】
【０００１】
本発明は枚葉印刷機において給紙を行う給紙装置に関する。
【背景技術】
【０００２】
枚葉印刷機においては、例えば非特許文献１、及び図１に示される通り、給紙部において、給紙パイルに収納された印刷用紙を、紙さばきエア供給ノズルからの空気でさばく。次に真空吸着手段である第１サッカーが印刷用紙の後端部を持ち上げる。この時に、紙さばき用２枚止め板ばねが印刷用紙の後端部を擦って印刷用紙を完全に１枚毎になるようにさばく。この印刷用紙を真空吸着手段である第２サッカーが吸着してフィーダーボードに印刷用紙を送り出し、更に図示しない印刷部に送り込むようになっている。
【０００３】
紙さばき用２枚止め板ばねは、図２に示される通り、印刷用紙のフィーダーボード側とは反対側の、印刷用紙の最上部に接する高さに取り付ける。また、紙さばき用２枚止め板ばねは、印刷用紙の後端部を適度に擦って１枚毎にさばくように、印刷用紙の後端部から、適切なオーバーラップ長さを得るように取り付ける。
【０００４】
この時、紙さばき用２枚止め板ばねを紙の後端部よりオーバーラップさせる長さは、印刷用紙の紙厚により異なる。従来は、まず印刷オペレータが手動で紙さばき用２枚止め板ばねの紙の後端部からのオーバーラップ長さを調整する。更に必要に応じ、印刷作業中に印刷用紙のさばき具合を確認しつつ調整を行うこともある。このため、経験の少ないオペレータが作業を行うと、印刷開始時に適正な紙さばき用２枚止め板ばねの紙の後端部からのオーバーラップ長さが得られておらず、印刷用紙がきちんと１枚毎に分離されずに、複数枚くっついた状態でフィーダーボード上に給紙され、給紙不良として印刷機が停止することになり、印刷作業に支障をきたす。このため、適正なオーバーラップ長さを得るまで、給紙不良は連続して発生することとなり、調整のために無駄な印刷用紙の消費が発生し、また、調整作業のための時間を要することで、資材の浪費及び印刷作業能率の低下をきたす。
【０００５】
また、今までの紙さばきについては、紙さばきエアの供給量、または紙さばきエア供給ノズル吹き出し口の位置調整に注目がなされていたが、同様に重要である紙さばき用２枚止め板ばねを印刷用紙の後端部よりどの程度オーバーラップさせるかについての考察はなされていなかった。
【０００６】
これらを解決する方法としては、例えば特許文献１のように、従来の紙さばき用２枚止め板ばねに代わり、後端に下方に向かって後退する傾斜面を有するブロックを設け、該ブロックを印刷用紙の上端後部に向けて押し込む往復運動装置とエアブロワにより紙さばきを行う方法が紹介されている。
【０００７】
この方法では、セパレータ部に常時動力が必要な複数の機器を追加設置する必要がある。また、紙さばき用のエアブロワも、従来設置される印刷用紙後端部側に加え、印刷用紙側面側にも追加設置する必要がある。その結果、印刷機給紙部の構造が複雑になる。
【先行技術文献】
【特許文献】
【０００８】
【特許文献１】特開平１１−５９９４３号公報
【非特許文献】
【０００９】
【非特許文献１】平版印刷技術編纂委員会編纂、「平版印刷技術−知識と実務−」、社団法人日本印刷技術協会、昭和５３年２月２５日発行、４８頁〜５０頁
【発明の概要】
【発明が解決しようとする課題】
【００１０】
本発明の目的は、印刷前に必要な用紙情報を入力することにより、給紙部の紙さばき用２枚止め板ばねの印刷用紙後端部からのオーバーラップ長さを自動的に調整することで、オペレータによる調整を不要とすることである。また、印刷開始時の給紙不良を防止することで、資材の浪費を回避し、かつ印刷作業能率を向上させる枚葉印刷機の給紙装置を提供することを目的とする。
【課題を解決するための手段】
【００１１】
本発明は、給紙パイルに収納された印刷用紙を、１枚ずつさばき、フィーダーボードに乗せて印刷部に送り込むように構成された給紙手段を有する枚葉印刷機の給紙装置であって、印刷用紙の紙厚を入力する手段と、入力された紙厚より、紙さばき用２枚止め板ばねの印刷用紙後端部からのオーバーラップ長さを計算する手段と、印刷用紙後端部の位置を確認し、紙さばき用２枚止め板ばねの印刷用紙後端部からのオーバーラップ長さを自動で調整する手段により構成される、枚葉印刷機の給紙装置である。
【発明の効果】
【００１２】
本発明により、オペレータの経験に頼る調整が不要となる。また、印刷開始時の給紙不良が防止されるため、資材の浪費を回避し、かつ印刷作業能率を向上させる給紙装置を提供することができる。
【図面の簡単な説明】
【００１３】
【図１】本発明による、枚葉印刷機の給紙装置の概略図。
【図２】本発明による、紙さばき用２枚止め板ばねと印刷用紙後端部とのオーバーラップ長さの概略図。
【図３】本発明による、入力された紙厚から紙さばき用２枚止め板ばねの、印刷用紙後端部からのオーバーラップ長さを計算するための係数Ｃ１を計算するグラフ。
【図４】本発明による、係数Ｃ１から紙さばき用２枚止め板ばねの、印刷用紙後端部からのオーバーラップ長さを計算するグラフ。
【図５】本発明による、紙さばき用２枚止め板ばねと印刷用紙後端部との距離の概略図。
【発明を実施するための形態】
【００１４】
以下に、図面に基づいて、本発明について詳細に説明する。
【００１５】
図１に、本発明による給紙装置の概略図を示す。装置は給紙パイル上の印刷用紙（１）と、印刷用紙をさばき、フィーダーボード（９）へと送り出すセパレータ（２）、セパレータに接続され、印刷用紙を空気により１枚毎にさばく紙さばきエア供給ノズル（３）、さばかれた印刷用紙の後端部を真空吸着する第１サッカー（４）、印刷用紙の後端部を擦り、印刷用紙を完全に１枚毎にさばく紙さばき用２枚止め板ばね（５）、１枚毎にさばかれた印刷用紙をフィーダーボード（９）に送り出す第２サッカー（６）、印刷用紙の紙厚を入力する手段（７）、及び紙さばき用２枚止め板ばねの印刷用紙後端部からのオーバーラップ長さを計算する計算装置（８）により構成される。
【００１６】
図２に、紙さばき用２枚止め板ばねと印刷用紙後端部とのオーバーラップ長さ（両矢印部分）を示す。紙さばき用２枚止め板ばねは薄い鉄板で作られている。この２枚止め板ばねは、適度にたわむことで、印刷用紙に適度に擦れるとともに、印刷用紙を傷つけない。
【００１７】
図３は、本発明による、入力された印刷用紙の紙厚から、紙さばき用２枚止め板ばねの印刷用紙後端部からのオーバーラップ長さを計算するための係数Ｃ１を計算するグラフである。
【００１８】
本発明では、印刷開始前に、印刷用紙の紙厚を入力する手段（７）により、印刷に供する印刷用紙の紙厚を、紙さばき用２枚止め板ばねの印刷用紙後端部からのオーバーラップ長さを計算する計算装置（８）（以下、計算装置と略記する）に入力する。この入力手段においては、キーボード等情報を入力するために用いられる一般的な手段を使用する。計算装置（８）は、入力された印刷用紙の紙厚を図３に示されるグラフに代入し、係数Ｃ１の値を算出する。
【００１９】
図４は、本発明による、係数Ｃ１から、紙さばき用２枚止め板ばねの、印刷用紙の後端部からのオーバーラップ長さを計算するグラフである。計算装置は、係数Ｃ１をこのグラフに代入し、紙さばき用２枚止め板ばねの印刷用紙後端部からのオーバーラップ長さを算出する。
【００２０】
図５は本発明による、紙さばき用２枚止め板ばねと印刷用紙後端部との距離を示す概略図である。計算装置は、まず給紙パイル上の印刷用紙（１）後端部の位置を検出する。次に、計算装置は、給紙パイル上の印刷用紙（１）後端部の検出された位置情報と、紙さばき用２枚止め板ばねの先端部の現在位置を比較し、紙さばき用２枚止め板ばねの先端部と、印刷用紙後端部との距離を計算する。更に、計算装置は、計算された紙さばき用２枚止め板ばねの先端部と印刷用紙後端部との距離に、別途計算されていた紙さばき用２枚止め板ばねの印刷用紙後端部からのオーバーラップ長さを加えて、紙さばき用２枚止め板ばねを移動させる距離を計算する。
【００２１】
最後に、計算された移動距離情報に基づき、計算装置は紙さばき用２枚止め板ばねを自動で移動、調整させる。
【００２２】
紙さばき用２枚止め板ばねの、印刷用紙後端部からのオーバーラップ長さを調整する手段としては、精密な動作が可能なサーボモータ等で駆動される、ラック・ピニオン方式による調整方法や、ねじ式繰り出し・繰り戻し方式による調整方法が挙げられる。
【００２３】
調整が完了した後に、枚葉印刷機を運転することにより、紙さばき用２枚止め板ばねの、印刷用紙後端部からのオーバーラップ長さが高精度に調整され、オペレータによる調整作業が不要となる。これにより印刷開始オペレータの経験の差による調整の差が無くなる。また、印刷開始時の給紙不良が防止され、資材の浪費を回避し、かつ印刷作業能率を向上させることができる。
【産業上の利用可能性】
【００２４】
本発明による枚葉印刷機の給紙装置は、印刷産業分野、特にオフセット枚葉印刷機に好適に使用することができる。
【符号の説明】
【００２５】
（１）給紙パイル上の印刷用紙
（２）セパレータ
（３）紙さばきエア供給ノズル
（４）第１サッカー
（５）紙さばき用２枚止め板ばね
（６）第２サッカー
（７）印刷用紙の紙厚を入力する手段
（８）紙さばき用２枚止め板ばねの印刷用紙後端部からのオーバーラップ長さを計算する計算装置
（９）フィーダーボード
【図１】
2019059579.tif 000003
【図２】
2019059579.tif 000004
【図３】
2019059579.tif 000005
【図４】
2019059579.tif 000006
【図５】
2019059579.tif 000007